(57)【要約】  【課題】  フレキシブル配線基板が搭載されたフレームにおいて、作業者がその取り扱い上、フレキシブル配線基板が引っ掛かったり、衝突したりしてフレキシブル配線基板の配線パターンが損傷することを抑制できる電子機器を提供する。  【解決手段】  光ヘッド装置は、電子部品を搭載したフレーム７０と、電子部品と電気的に接続されてフレーム７０に搭載されたフレキシブル配線基板６０とを有し、フレキシブル配線基板６０は、配線を形成する配線パターンと、配線パターンと同じ材質で形成されて配線を形成しない補強パターン６４ａ、６４ｄ〜６４ｇ、６４ｊ、６４ｋとを有し、補強パターン６４ａ、６４ｄ〜６４ｇ、６４ｊ、６４ｋは、フレキシブル配線基板６０のうちフレーム７０の互いに交差する一方の面と他方の面とに跨っている部分において配線パターンよりフレキシブル配線基板６０の縁側に配置されていることを特徴とする。【選択図】  図４
2008192659.tif 000002
【特許請求の範囲】
【請求項１】
フレーム上に搭載された電子部品と外部回路との間で通電可能な通電部を有するフレキシブル配線基板を有し、
前記フレキシブル配線基板は、補強部を有し、
前記補強部は、前記フレキシブル配線基板のうち前記フレームの互いに交差する一方の面と他方の面とに跨っている部分において前記通電部より前記フレキシブル配線基板の縁側に配置されていることを特徴とする電子機器。
【請求項２】
前記補強部は、通電部と同じ材質で形成されて配線を形成しないものであることを特徴とする請求項１に記載の電子機器。
【請求項３】
前記一方の面と、前記他方の面とは、前記フレームの外壁に形成されており、
前記フレキシブル配線基板は、前記一方の面と、前記他方の面との外側に配設されていることを特徴とする請求項１又は請求項２に記載の電子機器。
【請求項４】
前記補強部は、前記外部に露出していることを特徴とする請求項１から請求項３までの何れかに記載の電子機器。
【請求項５】
前記フレキシブル配線基板は、本体部と、前記本体部から延設されて前記本体部より幅が狭い延設部とを有し、
前記補強部は、前記延設部に配置されていることを特徴とする請求項１から請求項４までの何れかに記載の電子機器。
【請求項６】
前記フレキシブル配線基板は、前記電子機器の組み立て時に工具が挿入される貫通孔を有し、
前記補強部は、前記通電部より前記貫通孔の縁側に配置されていることを特徴とする請求項１から請求項５までの何れかに記載の電子機器。
【請求項７】
前記補強部は、前記通電部の両側に配置されていることを特徴とする請求項１から請求項６までの何れかに記載の電子機器。
【請求項８】
光ヘッド装置であることを特徴とする請求項１から請求項７までの何れかに記載の電子機器。
【発明の詳細な説明】
【技術分野】
【０００１】
本発明は、フレキシブル配線基板を備えた電子機器に関する。
【背景技術】
【０００２】
従来、配線を形成する導電路と、導電路と同じ材質で形成されて配線を形成しない補強部とを有し、補強部が湾曲部に配置されたフレキシブルな導電要素が知られている（例えば、特許文献１参照。）。
【特許文献１】特開２００４−７１５６２号公報
【発明の開示】
【発明が解決しようとする課題】
【０００３】
しかしながら、従来の導電要素においては、自身が折り曲げられる際の導電路の損傷を補強部によって防止することができるものの、フレームとの関係に関する一切の開示がない。
【０００４】
本発明は、フレキシブル配線基板が搭載されたフレームにおいて、作業者がその取り扱い上、フレキシブル配線基板が引っ掛かったり、衝突したりしてフレキシブル配線基板の配線パターンが損傷することを抑制できる電子機器を提供することを目的とする。
【課題を解決するための手段】
【０００５】
本発明の電子機器は、フレーム上に搭載された電子部品と外部回路との間で通電可能な通電部を有するフレキシブル配線基板を有し、前記フレキシブル配線基板は、補強部を有し、前記補強部は、前記フレキシブル配線基板のうち前記フレームの互いに交差する一方の面と他方の面とに跨っている部分において前記通電部より前記フレキシブル配線基板の縁側に配置されていることを特徴とする。
【０００６】
この構成により、本発明の電子機器は、フレキシブル配線基板のうち電子機器の組み立て作業中や電子機器の完成後に引っ掛かったり衝突を受け易い部分、即ちフレキシブル配線基板のうちフレームの互いに交差する一方の面と他方の面とに跨っている部分が補強部によって補強されているので、フレキシブル配線基板の通電部の損傷を従来より減らすことができる。
【０００７】
また、本発明の電子機器の前記補強部は、通電部と同じ材質で形成されて配線を形成しないものであることを特徴とする。
【０００８】
この構成により、本発明の電子機器は、補強部を通電部と同時に生成することができる。
【０００９】
また、本発明の電子機器の前記一方の面と、前記他方の面とは、前記フレームの外壁に形成されており、前記フレキシブル配線基板は、前記一方の面と、前記他方の面との外側に配設されていることを特徴とする。
【００１０】
また、本発明の電子機器の前記補強部は、前記外部に露出していることを特徴とする。
【００１１】
この構成により、本発明の電子機器は、外部に露出していない場合、別言すれば補強部が封止されている場合に比較して、封止部が無い分だけ、フレキシブル配線基板のうち補強部が配置されている部分の幅の大きさを抑えることができる。
【００１２】
また、本発明の電子機器の前記フレキシブル配線基板は、本体部と、前記本体部から延設されて前記本体部より幅が狭い延設部とを有し、前記補強部は、前記延設部に配置されていることを特徴とする。
【００１３】
この構成により、本発明の電子機器は、フレキシブル配線基板のうち本体部より幅が狭く強度が低い延設部における通電部の損傷を抑えることができる。
【００１４】
また、本発明の電子機器の前記フレキシブル配線基板は、前記電子機器の組み立て時に工具が挿入される貫通孔を有し、前記補強部は、前記通電部より前記貫通孔の縁側に配置されていることを特徴とする。
【００１５】
この構成により、本発明の電子機器は、フレキシブル配線基板のうち電子機器の組み立て作業中に工具によって外力を受け易い部分、即ち工具が挿入される貫通孔の部分が補強部によって補強されているので、工具に引っ掛かったり衝突したりして生じるフレキシブル配線基板の通電部の損傷を従来より減らすことができる。
【００１６】
また、本発明の電子機器の前記補強部は、前記通電部の両側に配置されていることを特徴とする。
【００１７】
また、本発明の電子機器は、光ヘッド装置であることを特徴とする。
【発明の効果】
【００１８】
本発明によれば、フレキシブル配線基板が引っ掛かったり、衝突したりしてフレキシブル配線基板の配線パターンの損傷を従来より減らすことができる電子機器を提供することができる。
【発明を実施するための最良の形態】
【００１９】
以下、本発明の一実施の形態について、図面を用いて説明する。
【００２０】
まず、本実施の形態に係る光ヘッド装置の構成について説明する。
【００２１】
図１及び図２に示すように、本実施の形態に係る電子機器としての光ヘッド装置１０は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの図示していない光記録媒体に照射されるレーザ光を発生するレーザ光源２０、３０と、レーザ光源２０、３０によって発生させられたレーザ光を光記録媒体に照射する対物レンズ４０と、対物レンズ４０をトラッキング方向やフォーカシング方向に駆動するレンズ駆動機構５０と、光記録媒体で反射したレーザ光を受光するための図示していない受光素子と、レーザ光源２０、３０から出射されたレーザ光を対物レンズ４０まで到達させるための図示していない光学素子と、光記録媒体で反射して対物レンズ４０に入射したレーザ光を受光素子まで到達させるための図示していない光学素子と、レーザ光源２０、３０、レンズ駆動機構５０、受光素子などの電子部品と外部回路との間で通電可能なフレキシブル配線基板６０と、光ヘッド装置１０をトラッキング方向に移動させるための軸受７１、７２を有してレーザ光源２０、３０、レンズ駆動機構５０、受光素子、フレキシブル配線基板６０を搭載したフレーム７０とを備えている。なお、フレキシブル配線基板６０は、レーザ光源２０、３０や、レーザ光源２０、３０を駆動するドライブなどの電子部品を搭載している。
【００２２】
図３に示すように、フレキシブル配線基板６０は、本体部６１ａと、本体部６１ａから延設されて本体部６１ａより幅が狭い延設部６１ｂ〜６１ｅと、延設部６１ｂに設けられた貫通孔６２ａと、延設部６１ｅに設けられた貫通孔６２ｂ、６２ｃと、銅箔によって配線を形成する通電部としての配線パターン６３と、配線パターン６３と同じ銅箔で形成されて配線を形成しない補強部としての補強パターン６４ａ〜６４ｌとを有している。
【００２３】
ここで、補強パターン６４ａ、６４ｂは、延設部６１ｂの縁に配置され端部が外部に露出している。補強パターン６４ｃは、貫通孔６２ａの縁に配置され端部が外部に露出している。補強パターン６４ｄ、６４ｅは、延設部６１ｃの縁に配置され端部が外部に露出している。補強パターン６４ｆは、本体部６１ａ及び延設部６１ｃの縁に配置され端部が外部に露出している。補強パターン６４ｇは、本体部６１ａ及び延設部６１ｃ、６１ｄの縁に配置され端部が外部に露出している。補強パターン６４ｈ、６４ｉは、延設部６１ｄの縁に配置され端部が外部に露出している。補強パターン６４ｊは、本体部６１ａ及び延設部６１ｄ、６１ｅの縁に配置され端部が外部に露出している。補強パターン６４ｋは、貫通孔６２ｂの縁に配置され端部が外部に露出している。補強パターン６４ｌは、貫通孔６２ｃの縁に配置され端部が外部に露出している。
【００２４】
また、補強パターン６４ａ、６４ｂは、延設部６１ｂにおいて配線パターン６３の両側に配置されている。補強パターン６４ａ、６４ｃは、貫通孔６２ａの近傍において配線パターン６３の両側に配置されている。補強パターン６４ｂ、６４ｃは、貫通孔６２ａの近傍において配線パターン６３の両側に配置されている。補強パターン６４ｄ、６４ｅは、延設部６１ｃにおいて配線パターン６３の両側に配置されている。補強パターン６４ｆ、６４ｇは、延設部６１ｃにおいて配線パターン６３の両側に配置されている。補強パターン６４ｇ、６４ｉは、延設部６１ｄにおいて配線パターン６３の両側に配置されている。補強パターン６４ｇ、６４ｊは、延設部６１ｄにおいて配線パターン６３の両側に配置されている。補強パターン６４ｈ、６４ｉは、延設部６１ｄにおいて配線パターン６３の両側に配置されている。補強パターン６４ｊ、６４ｋは、貫通孔６２ｂにおいて配線パターン６３の両側に配置されている。補強パターン６４ｊ、６４ｌは、貫通孔６２ｃにおいて配線パターン６３の両側に配置されている。
【００２５】
また、図４に示すように、補強パターン６４ａは、フレキシブル配線基板６０のうち、フレキシブル配線基板６０が固定されたフレーム７０の外壁の面７０ａと、面７０ａから続いて面７０ａと直交するフレーム７０の外壁の面７０ｂとに跨っている部分に配置されている。また、補強パターン６４ａは、フレキシブル配線基板６０のうち、フレーム７０の面７０ｂと、面７０ｂから続いて面７０ｂと直交して面７０ａと平行なフレーム７０の外壁の面７０ｃとに跨っている部分に配置されている。補強パターン６４ｄ、６４ｅは、フレキシブル配線基板６０のうち、フレキシブル配線基板６０が固定されたフレーム７０の外壁の面７０ｄと、面７０ｄから続いて面７０ｄと直交するフレーム７０の外壁の面７０ｅとに跨っている部分に配置されている。補強パターン６４ｊ、６４ｋは、フレキシブル配線基板６０のうち、フレーム７０の外壁の面７０ｆと、面７０ｆから続いて面７０ｆと直交するフレーム７０の外壁の面７０ｇとに跨っている部分に配置されている。また、補強パターン６４ｊ、６４ｋは、フレキシブル配線基板６０のうち、フレーム７０の外壁の面７０ｈと、面７０ｈから続いて面７０ｈと直交するフレーム７０の外壁の面７０ｉとに跨っている部分に配置されている。なお、補強パターン６４ａ、６４ｄ、６４ｅ、６４ｊ、６４ｋについて説明したが、補強パターン６４ｂ、６４ｃ、６４ｆ〜６４ｈ、６４ｉ、６４ｌについても同様に、フレキシブル配線基板６０のうちフレーム７０の互いに交差する一方の面と他方の面とに跨っている部分に配置されている。
【００２６】
また、図５に示すように、貫通孔６２ａは、フレーム７０の一部である板７３のうち棒状の工具８０と係合する係合部７３ａを外部に現している。
【００２７】
貫通孔６２ａに工具８０が差し込まれて、工具８０と、係合部７３ａとが係合し、工具８０によってフレーム７０全体に対する板７３の位置が調整される。そのとき、フレキシブル配線基板６０のうち貫通孔６２ａの縁に配置された補強パターン６４ｃ（図３参照。）は、工具８０に引っ掛かったり衝突したりする。
【００２８】
以上に説明したように、光ヘッド装置１０は、フレキシブル配線基板６０のうち光ヘッド装置１０の組み立て作業中や光ヘッド装置１０の完成後にフレーム７０のエッジ等の引っ掛かったり衝突を受け易い部分、即ちフレキシブル配線基板６０のうちフレーム７０の互いに交差する一方の面と他方の面とに跨っている部分が補強パターン６４ａ〜６４ｌによって補強されているので、フレキシブル配線基板６０の配線パターン６３の損傷を従来より減らすことができる。
【００２９】
また、光ヘッド装置１０は、補強部が配線パターン６３と同じ材質で形成されて配線を形成しない補強パターン６４ａ〜６４ｌであるので、補強部を配線パターン６３と同時に生成することができる。
【００３０】
なお、補強部は、補強パターン６４ａ〜６４ｌ以外のもので構成されていても良い。例えば、フレキシブル配線基板６０は、補強部として補強板が貼着されていても良い。
【００３１】
また、光ヘッド装置１０は、フレキシブル配線基板６０のうち光ヘッド装置１０の組み立て作業中に工具８０によって外力を受け易い部分、即ち工具８０が挿入される貫通孔６２ａの部分が補強パターン６４ｃによって補強されているので、フレキシブル配線基板６０の配線パターン６３の損傷を従来より減らすことができる。
【００３２】
また、光ヘッド装置１０は、補強パターン６４ａ〜６４ｌがフレキシブル配線基板６０の縁に配置され外部に露出しているので、外部に露出していない場合、別言すれば補強パターン６４ａ〜６４ｌが封止されている場合に比較して、封止部が無い分だけ、フレキシブル配線基板６０のうち補強パターン６４ａ〜６４ｌが配置されている部分の幅の大きさを抑えることができる。なお、補強パターン６４ａ〜６４ｌは、配線パターン６３よりフレキシブル配線基板６０の縁側であればフレキシブル配線基板６０の縁に配置されていなくても良い。
【００３３】
また、光ヘッド装置１０は、補強パターン６４ａ〜６４ｌが延設部６１ｂ〜６１ｅに配置されているので、フレキシブル配線基板６０のうち本体部６１ａより幅が狭く強度が低い延設部６１ｂ〜６１ｅにおける配線パターン６３の損傷を抑えることができる。
【図面の簡単な説明】
【００３４】
【図１】（ａ）本発明の一実施の形態に係る光ヘッド装置の上面図  （ｂ）図１（ａ）に示す光ヘッド装置の側面図
【図２】（ａ）図１に示す光ヘッド装置の底面図  （ｂ）図１に示す光ヘッド装置の側面図であって、図１（ｂ）に示す側面とは反対側の側面の図
【図３】図１に示す光ヘッド装置のフレキシブル配線基板の展開図
【図４】（ａ）図１に示す光ヘッド装置の一部の斜視図  （ｂ）図１に示す光ヘッド装置の一部の斜視図であって、図４（ａ）に示す部分とは異なる部分の図
【図５】（ａ）図１に示す光ヘッド装置の斜視図であって、フレームが工具によって調整される前の状態の図  （ｂ）図１に示す光ヘッド装置の斜視図であって、フレームが工具によって調整されている状態の図
【符号の説明】
【００３５】
１０  光ヘッド装置（電子機器）
２０、３０  レーザ光源（電子部品）
５０  レンズ駆動機構（電子部品）
６０  フレキシブル配線基板
６１ａ  本体部
６１ｂ〜６１ｅ  延設部
６２ａ  貫通孔
６３  配線パターン（通電部）
６４ａ〜６４ｌ  補強パターン（補強部）
７０  フレーム
７０ａ〜７０ｉ  面（一方の面、他方の面）
８０  工具
【図１】
2008192659.tif 000003
【図２】
2008192659.tif 000004
【図３】
2008192659.tif 000005
【図４】
2008192659.tif 000006
【図５】
2008192659.tif 000007